(57)【特許請求の範囲】
【請求項１】
ケース内に収納されたコイルに通電することによって可動鉄心を移動させ、この可動鉄心に連結された被駆動部材を移動させるソレノイド駆動機構において、
上記可動鉄心と上記被駆動部材とが、それぞれの一部が重ね合わせられて配置されるとともに、この重ね合わせ部に連結ピンが抜き差し可能に嵌められることによって上記可動鉄心と上記被駆動部材とが連結され、
上記連結ピンの抜けを防止する上記ソレノイドに取付けた抜け防止部材と上記ソレノイドのケースを取り付けるソレノイド取付板とを対向して配置し、上記ソレノイド取付板と上記抜け防止部材との間で上記連結ピンを挟むことにより上記連結ピンの抜けを防止するとともに、上記ソレノイドに取り付けた抜け防止部材を上記ソレノイドから取り外すことにより上記連結ピンを取り外し可能に設けていることを特徴とするソレノイド駆動機構。
【請求項２】
上記被駆動部材は、カード発行装置におけるカード搬送用ローラを移動させるための連結部材であり、上記カード搬送用ローラは、カード発行装置のベース板に回動自在に取り付けられた保持体によって保持され、この保持体に上記被駆動部材が連結されている請求項１記載のソレノイド駆動機構。
【請求項３】
ケース内に収納されたコイルに通電することによって可動鉄心を移動させ、この可動鉄心に連結された被駆動部材を移動させるソレノイド駆動機構において、
上記ケースを取り付けるソレノイド取付板がベース板に取り付けられ、
上記可動鉄心と上記被駆動部材とが、それぞれの一部が重ね合わせられて配置されるとともに、この重ね合わせ部に連結ピンが抜き差し可能に嵌められることによって上記可動鉄心と上記被駆動部材とが連結され、
上記連結ピンの抜けを防止する上記ソレノイドに取付けた抜け防止部材と上記ソレノイドのケースを取り付けるソレノイド取付板とに対向して配置し、上記ソレノイド取付板と上記抜け防止部材との間で前記連結ピンを挟むことにより上記連結ピンの抜けを防止するとともに、上記連結ピンによる連結部が、上記ベース板とこのベース板と一体の抜け防止部材とで挟まれる位置から抜け防止部材より外れる位置までの範囲で移動可能となるように、上記ソレノイド取付板がベース板に移動可能に取り付けられ、上記ソレノイドに取り付けた抜け防止部材を上記ソレノイドから取り外すことにより上記連結ピンを取り外し可能に設けていることを特徴とするソレノイド駆動機構。
【請求項４】
上記ソレノイド取付板は長孔を有し、この長孔に通されたねじがベース板にねじ込まれることによってソレノイドがベース板に固定され、上記ねじを緩めることによって、上記長孔の範囲でソレノイドがソレノイド取付板とともに移動可能となる請求項４記載のソレノイド駆動機構。
【発明の詳細な説明】
【０００１】
【発明の属する技術分野】
本発明は、ソレノイドを用いた各種駆動機構、特に、ソレノイドの可動鉄心と被駆動部材との連結部の構造に関するもので、例えば、カード発行装置におけるカード搬送用ローラの位置を移動させる機構などに適用可能なものに関する。
【０００２】
【従来の技術】
ソレノイド駆動機構は、ケース内に収納されたコイルを有してなるソレノイド本体と、上記コイルに通電することによって移動する可動鉄心とを有し、この可動鉄心を被駆動部材に連結することによって被駆動部材を移動させるものが知られている。可動鉄心と被駆動部材との連結は、可動鉄心と被駆動部材の一部が重ね合わせられ、この重ね合わせ部分にピンを打ち込むことによって行われている。上記ピンは簡単に脱落することのないようにスプリングピンなどが用いられている。以下、従来のソレノイド駆動機構について、プリペイドカード等の磁気カード発行装置に用いられているものの例を参照しながら説明する。
【０００３】
図６、図７において、磁気カード発行装置１は、その下部にロール紙２の収納部を有する。ここでは、ロール紙２は片側全面が磁性面となっている磁気ロール紙とする。ロール紙２の終端は、上方に引き出されて第１取り込みローラ３の外周に沿い折り返され、所定のテンションを与えられたレバーの先端に取り付けられたループローラ４により適宜のループが形成され、第２取り込みローラ５を経て上向きに搬送されるようになっている。第２取り込みローラ５以降の搬送経路において所定の処理がなされる。
【０００４】
第２取り込みローラ５を経たロール紙２は適宜のガイドに沿い上方に搬送され、カッター６、駆動ローラ７およびこれと対をなすパッドローラ８の位置に至る。カッター６より上側は、対をなす搬送ガイド１０、１１によってカード搬送路が形成され、パッドローラ８は上下方向に向いた搬送ガイド１１の長さ方向の途中にあり、駆動ローラ７は上下方向に向いた搬送ガイド１０の長さ方向の途中にある。パッドローラ８と駆動ローラ７は、ともにカード搬送用ローラとして機能する。パッドローラ８は移動可能に保持されるとともに、図６に示すソレノイド駆動機構２５の可動鉄心２４に連結され、ソレノイド本体２３をなすコイルに通電されることによって可動鉄心２４が吸引され、パッドローラ８は図７に矢印Ｍで示す向きに移動させられて駆動ローラ７から離間するようになっている。コイルへの通電が停止すると、可動鉄心２４は付勢力によって矢印Ｍとは逆向きに移動し、パッドローラ８が駆動ローラ７に押しつけられるようになっている。
【０００５】
ロール紙２が搬送ガイド１０、１１間に送り込まれるときはパッドローラ８を駆動ローラ７から離間させ、ロール紙２が所定長さ搬入されたら取り込みローラ３、５の駆動を停止し、ソレノイド本体２３への通電を停止してパッドローラ８を駆動ローラ７に向かい押しつけて、パッドローラ８と駆動ローラ７との間にロール紙２を挟み込む。この状態でカッター６を駆動し、ロール紙２を切断する。これによって所定長さのカードとなる。このカードは駆動ローラ７の回転駆動によって上方に搬送され、コーナーローラ１２の外周に沿い、かつ、搬送ガイドに沿って水平方向に搬送される。
【０００６】
水平方向の搬送路１３の下側には、書き込みヘッド１４と読み出しヘッド１５が並置され、上記搬送路１３の上側には、適宜のプーリに掛けられた搬送ベルト１６が上記搬送路１３に沿って配置されている。搬送路１３を搬送されてきたカードの磁性面には、書き込みヘッド１４によって所定の情報信号が書き込まれ、書き込まれた情報信号は読み出しヘッド１５によって読み出され、記録信号の正否ないしは適否が判定され。さらに、カードには印字部１７によって必要な文字が印字され、発行口１８から排出される。
【０００７】
カードに記録された情報が読み取れないなど、カードが不適当な場合は、搬送路１３においてカードを逆送し、セレクタ２０を切り換え、このセレクタ２０とガイド１９からなる排出路に沿って搬送し、リジェクトスタッカー２１にストックするようになっている。
【０００８】
上記ソレノイド駆動機構２５の具体的構成は、通常図５に示すように構成されている場合が多い。図５において、ソレノイド本体２３はブラケット２９によってカード発行装置のベースに固定されている。ソレノイド本体２３の中心孔をガイドとして進退可能な可動鉄心２４の先端部は連結レバー２８の一部と重なり合い、この重なり合った部分にスプリングピン２６が嵌め込まれることによって可動鉄心２４と連結レバー２８が連結されている。連結レバー２８は、適宜の連結機構を介して被駆動体に連結され、ソレノイド本体２３のコイルに通電することによって、前述のようにパッドローラー８が駆動ローラー７から離間し、上記通電を停止することによってパッドローラー８が駆動ローラー７に押しつけられるように構成されることになる。
【０００９】
【発明が解決しようとする課題】
以上説明した従来のソレノイド駆動機構を用いると、可動鉄心２４と、被駆動部材としての連結レバー２８とがスプリングピン２６などによって強固に連結されている。一方、ソレノイド駆動機構は頻繁に動作するため、可動鉄心のガイド部などが摩耗し、ソレノイド駆動機構の寿命が尽きることがよくある。特に、カード発行装置に使用されているソレノイド駆動機構は、カードを発行させるたびに動作させるので、寿命が尽きるのが早い。寿命が尽きたソレノイド駆動機構は交換する必要があるが、従来のように、可動鉄心２４と被駆動部材とを強固に連結してあると、この連結部分を分離させるのは困難である。そのため、従来は、ソレノイド駆動機構のみを交換すればよいにもかかわらず、ソレノイド駆動機構に連結されている部分も一緒に取り外す必要があった。
【００１０】
これを前述のカード発行装置の例に当てはめると、可動鉄心２４に連結されている連結レバー２８、この連結レバー２８に連結されているパッドローラ８およびパッドローラーレバー組、さらにはその周辺のプレート等も取り外す必要があり、きわめて面倒であった。
【００１１】
本発明は以上のような従来技術の問題点を解消するためになされたもので、可動鉄心と被駆動部材との連結をきわめて容易に外すことができるようにして、交換やメンテナンスをきわめて容易に行うことができるソレノイド駆動機構を提供することを目的とする。
【００１２】
【課題を解決するための手段】
上記の目的を達成するために、ケース内に収納されたコイルに通電することによって可動鉄心を移動させ、この可動鉄心に連結された被駆動部材を移動させるソレノイド駆動機構において、上記可動鉄心と上記被駆動部材とが、それぞれの一部が重ね合わせられて配置されるとともに、この重ね合わせ部に連結ピンが抜き差し可能に嵌められることによって上記可動鉄心と上記被駆動部材とが連結され、上記連結ピンの抜けを防止する上記ソレノイドに取付けた抜け防止部材と上記ソレノイドのケースを取り付けるソレノイド取付板とを対向して配置し、上記ソレノイド取付板と上記抜け防止部材との間で上記連結ピンを挟むことにより上記連結ピンの抜けを防止するとともに、上記ソレノイドに取り付けた抜け防止部材を上記ソレノイドから取り外すことにより上記連結ピンを取り外し可能に設けていることを特徴とする。
【００１３】
請求項２記載の発明は、請求項１記載の発明において、上記被駆動部材は、カード発行装置におけるカード搬送用ローラを移動させるための連結部材であり、上記カード搬送用ローラは、カード発行装置のベース板に回動自在に取り付けられた保持体によって保持され、この保持体に上記被駆動部材が連結されていることを特徴とする。
【００１４】
請求項３記載の発明は、ケース内に収納されたコイルに通電することによって可動鉄心を移動させ、この可動鉄心に連結された被駆動部材を移動させるソレノイド駆動機構において、上記ケースを取り付けるソレノイド取付板がベース板に取り付けられ、上記可動鉄心と上記被駆動部材とが、それぞれの一部が重ね合わせられて配置されるとともに、この重ね合わせ部に連結ピンが抜き差し可能に嵌められることによって上記可動鉄心と上記被駆動部材とが連結され、上記連結ピンの抜けを防止する上記ソレノイドに取付けた抜け防止部材と上記ソレノイドのケースを取り付けるソレノイド取付板とに対向して配置し、上記ソレノイド取付板と上記抜け防止部材との間で前記連結ピンを挟むことにより上記連結ピンの抜けを防止するとともに、上記連結ピンによる連結部が、上記ベース板とこのベース板と一体の抜け防止部材とで挟まれる位置から抜け防止部材より外れる位置までの範囲で移動可能となるように、上記ソレノイド取付板がベース板に移動可能に取り付けられ、上記ソレノイドに取り付けた抜け防止部材を上記ソレノイドから取り外すことにより上記連結ピンを取り外し可能に設けていることを特徴とする。
【００１６】
【発明の実施の形態】
以下、図１〜図４を参照しながら本発明に係るソレノイド駆動機構の実施の形態について説明する。図示の実施の形態は、図６、図７で説明したカード発行装置に用いられるソレノイド駆動機構として構成されたものの例で、図６、図７に示すカード発行装置におけるパッドローラ８の移動機構として用いられているものである。
図１〜図３において、カード発行装置のベース板４５には、円筒状のスペーサ４８の介在の下に、ソレノイド取付板４０がねじ止めによって固定されており、ソレノイド取付板４０にはソレノイドのケース３１がねじ止めによって固定されている。従来一般のソレノイドと同様に、ケース３１内にはコイルが収納されている。ケース３１の中心軸線に沿って中心孔があり、この中心孔の周りに上記コイルが巻回されている。上記中心孔をガイドとして、可動鉄心３２がその中心軸線方向（図１において左右方向）に移動可能に挿入されている。可動鉄心３２は適宜のコイルバネ等によってケース３１から突出する向き（図１において左向き）に付勢され、コイルに通電されると、磁力により上記付勢力に抗して吸引されるようになっている。
【００１７】
カード発行装置のベース板４５にはこれと平行にサブプレート４３が固定されている。サブプレート４３はベース板４５から適宜の間隔をあけて固定されている。サブプレート４３の図１において左端縁に沿って前述の搬送ガイド１１が固定されている。この搬送ガイド１１の上下の長さ方向の途中に形成された孔１１１に対応して前記パッドローラ８が位置している。パッドローラ８は支持体３５の先端部にパッドローラ軸３８によって回転自在に支持されている。支持体３５は一種のレバーであって、ベース板４５に固定されベース板４５から水平方向に延びた軸４６によって上記支持体３５の基部が支持されている。支持体３５は軸４６を中心に回動自在に取り付けられていて、ばね３７により図１において反時計方向に、従って、パッドローラ８の外周面の一部が上記搬送ガイド１１の孔１１１からカード搬送路内に突出する向きに移動付勢されている。パッドローラ８は、図示されない駆動ローラと共働し、カードを搬送する。従って、パッドローラ８と駆動ローラは、カード搬送用ローラを構成している。
【００１８】
上記パッドローラ軸３８には、被駆動部材としての連結体３４の一端部がパッドローラ軸３８に対し回転自在に連結されている。連結体３４の他端部は前記可動鉄心３２に、連結ピン３３によって相対回転可能に連結されている。この連結体３４と可動鉄心３２との連結部の構造が本発明の特徴的な部分で、可動鉄心３２と連結体３４とが、それぞれの一部が重ね合わせられて配置され、この重ね合わせ部に上記連結ピン３３が抜き差し可能に嵌められている。連結ピン３３は抜き差し可能となっているため、容易に抜き取ることができ、これによって可動鉄心３２と連結体３４との連結を容易に外すことができる。
【００１９】
抜き差し可能な連結ピン３３は、そのままではすぐに脱落してしまうので、連結ピン３３の抜けを防止する抜け防止部材４１が取り外し可能に設けられている。この実施の形態では、抜け防止部材４１は台形の板状になっていて、基部が前記ケース３１の正面にねじ４２によって固定されている。抜け防止部材４１の先端部は可動鉄心３２と平行に伸び出し、上記連結体３４と可動鉄心３２との連結部を覆っている。前記ソレノイド取付板４０の一部も、可動鉄心３２と平行に上記連結体３４と可動鉄心３２との連結部まで伸び出ている。上記連結ピン３３は、ソレノイド取付板４０と抜け防止部材４１とによって挟まれ、連結ピン３３の脱落が防止されている。ソレノイド取付板４０および抜け防止部材４１と、連結ピン３３、可動鉄心３２および連結体３４との間には、可動鉄心３２および連結体３４の動きに対する抵抗となることのないように、間隙が設けられている。前記サブプレート４３には、抜け防止部材４１と干渉することのないように切欠部４４が形成されている。連結体３４、パッドローラ８、その支持体３５等は前記ベース板とサブプレート４３との間に配置されている。
【００２０】
以上説明したソレノイド駆動機構において、ソレノイド本体をなすコイルへの通電が停止している状態では、付勢力によってパッドローラ８の支持体３５が図１において反時計方向に回動し、連結部材３４および可動鉄心３２が図１において左方に移動し、パッドローラ８の一部が搬送ガイド１１の孔１１１からカード搬送路内に突出し、図７について説明した駆動ローラ７との間にカードを挟み込んでカードを搬送することが可能な態様を採っている。
上記搬送路にカードを導き入れるには、上記コイルに通電し、可動鉄心３２を付勢力に抗して吸引し、連結部材３４を介して支持体３５を図１において時計方向に回動させ、パッドローラ８を駆動ローラ７から離間させる。
【００２１】
ソレノイドが摩耗してこれを交換しようとする場合、その他メンテナンスを必要とする場合は、まず、ねじ４２を外して抜け防止部材４１を取り外す。これによって抜き差し自在の連結ピン３３が露呈するので、連結ピン３３を抜き取り、可動鉄心３２と連結部材３４との連結を外す。こうして、ソレノイドの部分が被駆動部材から分離されるので、ソレノイドだけを取り外し、適宜のメンテナンスを施して再び取り付け、あるいは新しいソレノイドと交換すればよく、従来の
ソレノイド駆動機構のように、被駆動部材までも連結した状態で取り外す必要はないから、メンテナンスがきわめて容易でありかつ迅速に行うことができる。
【００２２】
次に、図４に示す別の実施の形態について説明する。前記実施の形態では、連結ピンの抜けを防止するための部材を別部材として付加していたが、図４に示す実施の形態のように構成を多少変更するだけで、別部材としての連結ピン抜け防止部材を省略することもできる。図４において、ベース板にねじ５０によって固定されるソレノイド取付板４０の、上記ねじ５０が挿通される孔が、図４において左右方向に長い長孔４０１となっていて、ソレノイド取付板４０およびこれに一体に固定される前記ケース３１は、長孔４０１の範囲において左右方向に移動可能となっている。図示の例では、ソレノイド取付板４０が安定した姿勢を保ったまま移動できるように、二つの長孔４０１およびねじ５０が左右方向に位置をずらして配置されている。
【００２３】
前記実施の形態と同様に、可動鉄心３２の先端部と、図４には示されていない被駆動部材の一部とが重ね合わせられ、この重ね合わせ部分に連結ピン３３が抜き差し可能に嵌められている。ソレノイド取付板４０の一部は可動鉄心３２と平行に伸び出し、連結ピン３３の一端面とその直近で対向している。連結ピン３３の他端面にはその直近でサブプレート４３が対向している。従って、サブプレート４３は連結ピン３３の抜け防止部材としての役目も果たしている。サブプレート４３は可動鉄心３２との対向する部分の多くが切欠部４４となっているが、ソレノイド取付板４０がその長孔４０１の範囲で図４において左方に片寄らせて固定された状態では、可動鉄心３２の先端部はサブプレート４３と重なり合い、上記のように、サブプレート４３が連結ピン３３の抜け防止部材として機能している。
【００２４】
上記ねじ５０を緩め、ソレノイド取付板４０をその長孔４０１の範囲で図４において右方に片寄せると、上記連結ピン３３が、抜け防止部材としての機能を有するサブプレート４３から外れて切欠部４４に位置することになり、連結ピン３３を抜き取って、可動鉄心３２と被駆動部材との連結を外すことができるようになっている。
【００２５】
図４に示す実施の形態も前記実施の形態と同様に作動し、同様の作用効果を得ることができる。
【００２６】
【発明の効果】
請求項１の発明によれば、可動鉄心と被駆動部材とが、それぞれの一部が重ね合わせられて配置されるとともに、この重ね合わせ部に連結ピンが抜き差し可能に嵌められることによって可動鉄心と被駆動部材とが連結され、連結ピンの抜けを防止する抜け防止部材が取り外し可能に設けられているため、抜け防止部材を取り外すことによって連結ピンを簡単に抜き取ることができ、可動鉄心と被駆動部材との連結をきわめて容易に解除することができる。よって、従来のように、ソレノイド駆動機構とともに連結部材およびその周辺の部材も含めて取り外す必要はなくなり、ソレノイド駆動機構の交換あるいはメンテナンスをきわめて簡単に行うことができる。
【００２７】
請求項２記載の発明によれば、請求項１または２記載の発明において、上記被駆動部材を、カード発行装置におけるカード搬送用ローラを移動させるための連結部材とし、上記カード搬送用ローラは、カード発行装置のベース板に回動自在に取り付けられた保持体によって保持され、この保持体に上記被駆動部材を連結したため、ソレノイド駆動機構から被駆動部材を容易に切り離すことができ、カード発行装置におけるソレノイド駆動機構の交換あるいはメンテナンスをきわめて簡単に行うことができる。
【００２８】
請求項３および４記載の発明によれば、ソレノイドのケースを取り付けるソレノイド取付板がベース板に取り付けられ、ソレノイドの可動鉄心と被駆動部材とが、それぞれの一部が重ね合わせられて配置されるとともに、この重ね合わせ部に連結ピンが抜き差し可能に嵌められることによって可動鉄心と被駆動部材とが連結されており、上記連結ピンによる連結部が、上記ベース板とこのベース板と一体の抜け防止部材とで挟まれる位置から抜け防止部材より外れる位置までの範囲で移動可能となるように、上記ソレノイド取付板をベース板に移動可能に取り付けたため、ソレノイド取付板を、連結部が抜け防止部材より外れる位置まで移動させることによって、可動鉄心と被駆動部材との連結をきわめて容易に解除することができ、従来のように、ソレノイド駆動機構とともに連結部材およびその周辺の部材も含めて取り外す必要はなくなり、ソレノイド駆動機構の交換あるいはメンテナンスをきわめて簡単に行うことができる。
【図面の簡単な説明】
【図１】本発明にかかるソレノイド駆動機構の一実施の形態を示す正面図である。
【図２】同上パッドローラ部分の一部断面側面図である。
【図３】同上ソレノイドのケースおよびソレノイド取付板の部分を示す側面図である。
【図４】本発明にかかるソレノイド駆動機構の別の実施の形態を示す正面図である。
【図５】従来のソレノイド駆動機構の例を示す正面図である。
【図６】同上ソレノイド駆動機構が用いられているカード発行装置の例を示す正面図である。
【図７】同上カード発行装置の内部配置を示す正面図である。
【符号の説明】
８    カード搬送用ローラ
３１  ケース
３２  可動鉄心
３３  連結ピン
３４  被駆動部材
３５  保持体
４０  ソレノイド取付板
４１  抜け防止部材
４３  抜け防止部材としてのサブプレート
４５  ベース板
５０  ねじ
４０１  長孔
【図１】
0003796375.tif 000002
【図２】
0003796375.tif 000003
【図３】
0003796375.tif 000004
【図４】
0003796375.tif 000005
【図５】
0003796375.tif 000006
【図６】
0003796375.tif 000007
【図７】
0003796375.tif 000008